【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
非ネイティブ拡張音声サービス（ＥＶＳ）システムにおけるＥＶＳ符号化パケット互換性のための方法であって、
符号化オーディオ信号と前記符号化オーディオ信号に関連するビットレートとを取得するためにオーディオ信号を符号化すること、ここにおいて、前記オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と、
前記ビットレートに基づいて前記符号化オーディオ信号のためのソースフォーマットを確立すること、ここにおいて、前記ソースフォーマットは、ｃｄｍａ２０００  １ｘのための無線構成（ＲＣ）である、と、
パケットを生成するために、あらかじめ選択されたパターンで前記符号化オーディオ信号を再フォーマッティングすること、ここにおいて、前記パケットの容量は、前記ソースフォーマットに基づき、再フォーマッティングすることは、間欠送信がサポートされるかどうか決定することと、前記決定に応答して１つまたは複数のヌルフレームを追加または破棄することとを備え、前記１つまたは複数のヌルフレームは、ゼロ値を持つブランクフレームを備える、と、
被変調波形を生成するために前記パケットを変調することと、
オーディオ宛先に前記被変調波形を送信することと
を備える、方法。
【請求項２】
前記オーディオ信号を生成することをさらに備え、前記オーディオ信号は、マイクロフォン、オーディオプレーヤ、トランスデューサまたは音声合成器のうちの１つによって生成される、
請求項１に記載の方法。
【請求項３】
前記オーディオ宛先は、オーディオコンシューマである、
請求項２に記載の方法。
【請求項４】
前記あらかじめ選択されたパターンは、１つまたは複数の０フィルビット、１つまたは複数の１フィルビット、またはビットの任意のグループのうちの１つを含む、
請求項１に記載の方法。
【請求項５】
前記無線構成（ＲＣ）は、前方誤り訂正（ＦＥＣ）パラメータと、変調パラメータと、拡散率とのうちの１つまたは複数を含むチャネルデータレートに基づく物理チャネル構成である、
請求項１に記載の方法。
【請求項６】
前記オーディオ信号は、音声信号または音楽信号のいずれかである、
請求項１に記載の方法。
【請求項７】
前記ビットレートは、前記オーディオ信号をサポートする、前記サポートされる帯域幅のうちの前記１つにマッピングされる拡張音声サービス（ＥＶＳ）ビットレートである、
請求項１に記載の方法。
【請求項８】
前記符号化オーディオ信号は、５．９ｋｂｐｓの拡張音声サービス（ＥＶＳ）ソース制御可変ビットレート（ＳＣ−ＶＢＲ）、１３．２ｋｂｐｓの拡張音声サービス（ＥＶＳ）超広帯域（ＳＷＢ）チャネルアウェアモード（ｃｈ−ａｗモード）または拡張音声サービス（ＥＶＳ）パケットのうちの１つである、
請求項１に記載の方法。
【請求項９】
前記パケットは、予約ビット、フラグビット、消去ビットまたは符号化器テールビットのうちの１つまたは複数を含む、
請求項１に記載の方法。
【請求項１０】
非ネイティブ拡張音声サービス（ＥＶＳ）システムにおけるＥＶＳ符号化パケット互換性のための装置であって、
符号化オーディオ信号と前記符号化オーディオ信号に関連するビットレートとを取得するためにオーディオ信号を符号化するための手段、ここにおいて、前記オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と、
前記ビットレートに基づいて前記符号化オーディオ信号のためのソースフォーマットを確立するための手段、ここにおいて、前記ソースフォーマットは、ｃｄｍａ２０００  １ｘのための無線構成（ＲＣ）である、と、
パケットを生成するためにあらかじめ選択されたパターンで前記符号化オーディオ信号を再フォーマッティングするための手段、ここにおいて、前記パケットの容量は、前記ソースフォーマットに基づき、再フォーマッティングするための手段は、間欠送信がサポートされるかどうか決定することと、前記決定に応答して１つまたは複数のヌルフレームを追加または破棄することとを備え、前記１つまたは複数のヌルフレームは、ゼロ値を持つブランクフレームを備える、と、
被変調波形を生成するために前記パケットを変調するための手段と、
オーディオ宛先に前記被変調波形を送信するための手段と
を備える、装置。
【請求項１１】
少なくとも１つプロセッサと、共有プロファイルを記憶するためのメモリ、前記メモリが前記少なくとも１つプロセッサに結合される、と、コンピュータ実行可能コードとを備えるデバイス上で動作可能な前記コンピュータ実行可能コードを記憶するコンピュータ可読記憶媒体であって、前記コンピュータ実行可能コードは、
請求項１乃至９のいずれか１項に従う方法を実装することをプロセッサに行わせるための命令を備える、コンピュータ可読記憶媒体。
【請求項１２】
非ネイティブ拡張音声サービス（ＥＶＳ）システムにおけるＥＶＳ復号パケット互換性のための方法であって、
被変調波形を備える信号を受信することと、
前記受信信号を変換することによってパケットに関連するデータレートを取得することと、
前記データレートに基づいて符号化オーディオ信号を復元するために前記パケットから１つまたは複数のあらかじめ選択されたパターンを破棄すること、ここにおいて、前記あらかじめ選択されたパターンは、前記符号化オーディオ信号のためのソースフォーマットに基づき、前記ソースフォーマットは、ｃｄｍａ２０００  １ｘのための無線構成（ＲＣ）であり、前記符号化信号は、ゼロ値を持つブランクフレームを備える１つまたは複数のヌルフレームを追加または破棄することによって形成されたものである、と、
復号オーディオ信号を生成するために前記符号化オーディオ信号を復号すること、ここにおいて、前記復号オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と
を備える、方法。
【請求項１３】
非ネイティブ拡張音声サービス（ＥＶＳ）システムにおけるＥＶＳ復号パケット互換性のための装置であって、
変調された波形を備える信号を受信することと、
前記受信信号を変換することによってパケットに関連するデータレートを取得するための手段と、
前記データレートに基づいて符号化オーディオ信号を復元するために、前記パケットから１つまたは複数のあらかじめ選択されたパターンを破棄するための手段、ここにおいて、前記あらかじめ選択されたパターンは、前記符号化オーディオ信号のためのソースフォーマットに基づき、前記ソースフォーマットは、ｃｄｍａ２０００  １ｘのための無線構成（ＲＣ）であり、前記符号化信号は、ゼロ値を持つブランクフレームを備える１つまたは複数のヌルフレームを追加または破棄することによって形成されたものである、と、
復号オーディオ信号を生成するために前記符号化オーディオ信号を復号するための手段、ここにおいて、前記復号オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と
を備える、装置。
【請求項１４】
少なくとも１つプロセッサと、共有プロファイルを記憶するためのメモリ、前記メモリが前記少なくとも１つプロセッサに結合される、と、コンピュータ実行可能コードとを備えるデバイス上で動作可能な前記コンピュータ実行可能コードを記憶するコンピュータ可読記憶媒体であって、前記コンピュータ実行可能コードは、
請求項１２に従う方法を実装することをプロセッサに行わせるための命令を備える、コンピュータ可読記憶媒体。
【手続補正２】
【補正対象書類名】明細書
【補正対象項目名】０１１４
【補正方法】変更
【補正の内容】
【０１１４】
[00132]以上の説明は、当業者が本明細書で説明した様々な態様を実施することができるようにするために提供したものである。これらの態様への様々な変更は当業者には容易に明らかであり、本明細書で定義された一般原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。当業者に知られている、または後に知られるようになる、本開示全体にわたって説明する様々な態様の要素の構造的および機能的な均等物のすべてが、参照により本明細書に明確に組み込まれ、特許請求の範囲によって包含されるように意図されている。さらに、本明細書において開示されたいかなることも、そのような開示が特許請求の範囲に明示的に列挙されているか否かにかかわらず、公に供するものではない。その要素が「ための手段」という語句を使用して明確に列挙されていない限り、または方法クレームの場合には、その要素が「ためのステップ」という語句を使用して列挙されていない限り、いかなるクレーム要素も米国特許法第１１２条第６項の規定に基づいて解釈されるべきではない。
以下に、本願出願の当初の特許請求の範囲に記載された発明を付記する。
［Ｃ１］
拡張音声サービス（ＥＶＳ）符号化のための方法であって、
符号化オーディオ信号と前記符号化オーディオ信号に関連するビットレートとを取得するためにオーディオ信号を符号化することと、
前記ビットレートに基づいて前記符号化オーディオ信号のためのソースフォーマットを確立することと、
パケットを生成するために、あらかじめ選択されたパターンで前記符号化オーディオ信号を再フォーマッティングすること、ここにおいて、前記パケットの容量は、前記ソースフォーマットに基づく、と
を備える、方法。
［Ｃ２］
前記オーディオ信号を生成することをさらに備え、前記オーディオ信号は、マイクロフォン、オーディオプレーヤ、トランスデューサまたは音声合成器のうちの１つによって生成される、
［Ｃ１］に記載の方法。
［Ｃ３］
被変調波形を生成するために前記パケットを変調することと、
オーディオ宛先に前記被変調波形を送信すること、ここにおいて、前記オーディオ宛先は、オーディオコンシューマである、と
をさらに備える、［Ｃ２］に記載の方法。
［Ｃ４］
前記あらかじめ選択されたパターンは、１つまたは複数の０フィルビット、１つまたは複数の１フィルビット、またはビットの任意のグループのうちの１つを含む、
［Ｃ１］に記載の方法。
［Ｃ５］
前記ソースフォーマットは、ｃｄｍａ２０００  １ｘのための無線構成（ＲＣ）である、
［Ｃ１］に記載の方法。
［Ｃ６］
前記無線構成（ＲＣ）は、前方誤り訂正（ＦＥＣ）パラメータと、変調パラメータと、拡散率とのうちの１つまたは複数を含むチャネルデータレートに基づく物理チャネル構成である、
［Ｃ５］に記載の方法。
［Ｃ７］
前記オーディオ信号は、音声信号または音楽信号のいずれかである、
［Ｃ１］に記載の方法。
［Ｃ８］
前記オーディオ信号は、狭帯域（ＮＢ）、広帯域（ＷＢ）、超広帯域（ＳＷＢ）または全帯域（ＦＢ）のサポートされる帯域幅のうちの１つでサポートされる、
［Ｃ１］に記載の方法。
［Ｃ９］
前記オーディオ信号は、０ｋＨｚ〜２０ｋＨｚの間の可聴周波数範囲にわたってサポートされる、
［Ｃ８］に記載の方法。
［Ｃ１０］
前記ビットレートは、前記オーディオ信号をサポートする、前記サポートされる帯域幅のうちの前記１つにマッピングされる拡張音声サービス（ＥＶＳ）ビットレートである、
［Ｃ８］に記載の方法。
［Ｃ１１］
前記符号化オーディオ信号は、５．９ｋｂｐｓの拡張音声サービス（ＥＶＳ）ソース制御可変ビットレート（ＳＣ−ＶＢＲ）、１３．２ｋｂｐｓの拡張音声サービス（ＥＶＳ）超広帯域（ＳＷＢ）チャネルアウェアモード（ｃｈ−ａｗモード）または拡張音声サービス（ＥＶＳ）パケットのうちの１つである、
［Ｃ１］に記載の方法。
［Ｃ１２］
前記パケットは、予約ビット、フラグビット、消去ビットまたは符号化器テールビットのうちの１つまたは複数を含む、
［Ｃ１］に記載の方法。
［Ｃ１３］
拡張音声サービス（ＥＶＳ）復号のための方法であって、
パケットに関連するデータレートを取得することと、
前記データレートに基づいて符号化オーディオ信号を復元するために前記パケットから１つまたは複数のあらかじめ選択されたパターンを破棄することと、
復号オーディオ信号を生成するために前記符号化オーディオ信号を復号することと
を備える、方法。
［Ｃ１４］
信号を受信することと、
前記受信信号を前記パケットに変換することと
をさらに備える、［Ｃ１３］に記載の方法。
［Ｃ１５］
オーディオ宛先に前記復号オーディオ信号を送ることをさらに備え、前記オーディオ宛先は、スピーカー、ヘッドフォン、記録デバイスまたはデジタルストレージデバイスのうちの１つである、
［Ｃ１４］に記載の方法。
［Ｃ１６］
前記１つまたは複数のあらかじめ選択されたパターンは、１つまたは複数の０フィルビット、１つまたは複数の１フィルビット、またはビットの任意のグループのうちの１つを含む、
［Ｃ１３］に記載の方法。
［Ｃ１７］
前記復号オーディオ信号は、音声信号または音楽信号である、
［Ｃ１３］に記載の方法。
［Ｃ１８］
前記復号オーディオ信号は、狭帯域（ＮＢ）、広帯域（ＷＢ）、超広帯域（ＳＷＢ）または全帯域（ＦＢ）のサポートされる帯域幅のうちの１つでサポートされる、
［Ｃ１３］に記載の方法。
［Ｃ１９］
前記復号オーディオ信号は、０ｋＨｚ〜２０ｋＨｚの間の可聴周波数範囲にわたってサポートされる、
［Ｃ１８］に記載の方法。
［Ｃ２０］
前記パケットは、予約ビット、フラグビット、消去ビットまたは符号化器テールビットのうちの１つまたは複数を含む、
［Ｃ１３］に記載の方法。
［Ｃ２１］
相互接続するための方法であって、
間欠送信（ＤＴＸ）サポートなしに第１のネットワークから符号化オーディオ信号と前記符号化オーディオ信号に関連するビットレートとを受信することと、
ＤＴＸサポートありで第２のネットワークのためのパケットを生成するために、前記符号化オーディオ信号からあらかじめ選択されたパターンを破棄すること、ここにおいて、前記あらかじめ選択されたパターンは、前記ＤＴＸサポートに基づく、と、
前記第２のネットワークに前記パケットを送ることと
を備える、方法。
［Ｃ２２］
相互接続するための方法であって、
間欠送信（ＤＴＸ）サポートありで第１のネットワークから符号化オーディオ信号と前記符号化オーディオ信号に関連するビットレートとを受信することと、
ＤＴＸサポートなしに第２のネットワークのためのパケットを生成するために、あらかじめ選択されたパターンで前記符号化オーディオ信号を再フォーマッティングすること、ここにおいて、前記あらかじめ選択されたパターンは、前記ＤＴＸサポートに基づく、と、
前記第２のネットワークに前記パケットを送ることと
を備える、方法。
［Ｃ２３］
拡張音声サービス（ＥＶＳ）符号化のための装置であって、
符号化オーディオ信号と前記符号化オーディオ信号に関連するビットレートとを取得するためにオーディオ信号を符号化するための手段と、
前記ビットレートに基づいて前記符号化オーディオ信号のためのソースフォーマットを確立するための手段と、
パケットを生成するためにあらかじめ選択されたパターンで前記符号化オーディオ信号を再フォーマッティングするための手段、ここにおいて、前記パケットの容量は、前記ソースフォーマットに基づく、と
を備える、装置。
［Ｃ２４］
被変調波形を生成するために前記パケットを変調するための手段と、
オーディオ宛先に前記被変調波形を送信するための手段、ここにおいて、前記オーディオ宛先は、オーディオコンシューマである、と
をさらに備える、［Ｃ２３］に記載の装置。
［Ｃ２５］
拡張音声サービス（ＥＶＳ）復号のための装置であって、
パケットに関連するデータレートを取得するための手段と、
前記データレートに基づいて符号化オーディオ信号を復元するために、前記パケットから１つまたは複数のあらかじめ選択されたパターンを破棄するための手段と、
復号オーディオ信号を生成するために前記符号化オーディオ信号を復号するための手段と
を備える、装置。
［Ｃ２６］
オーディオ宛先に前記復号オーディオ信号を送るための手段をさらに備え、前記オーディオ宛先は、スピーカー、ヘッドフォン、記録デバイスまたはデジタルストレージデバイスのうちの１つである、
［Ｃ２５］に記載の装置。
［Ｃ２７］
相互接続するための装置であって、
間欠送信（ＤＴＸ）サポートなしに第１のネットワークから符号化オーディオ信号と前記符号化オーディオ信号に関連するビットレートとを受信するための手段と、
ＤＴＸサポートありで第２のネットワークのためのパケットを生成するために、前記符号化オーディオ信号からあらかじめ選択されたパターンを破棄するための手段、ここにおいて、前記あらかじめ選択されたパターンは、前記ＤＴＸサポートに基づく、と、
前記第２のネットワークに前記パケットを送るための手段と
を備える、装置。
［Ｃ２８］
相互接続するための装置であって、
間欠送信（ＤＴＸ）サポートありで第１のネットワークから符号化オーディオ信号と前記符号化オーディオ信号に関連するビットレートとを受信するための手段と、
ＤＴＸサポートなしに第２のネットワークのためのパケットを生成するために、あらかじめ選択されたパターンで前記符号化オーディオ信号を再フォーマッティングするための手段、ここにおいて、前記あらかじめ選択されたパターンは、前記ＤＴＸサポートに基づく、と、
前記第２のネットワークに前記パケットを送るための手段と
を備える、装置。
［Ｃ２９］
少なくとも１つプロセッサと、共有プロファイルを記憶するためのメモリと、前記メモリが前記少なくとも１つプロセッサに結合される、コンピュータ実行可能コードとを備えるデバイス上で動作可能な前記コンピュータ実行可能コードを記憶するコンピュータ可読記憶媒体であって、前記コンピュータ実行可能コードは、
符号化オーディオ信号と前記符号化オーディオ信号に関連するビットレートとを取得するためにオーディオ信号を符号化することを前記少なくとも１つのプロセッサに行わせるための命令と、
前記ビットレートに基づいて前記符号化オーディオ信号のためのソースフォーマットを確立することを前記少なくとも１つのプロセッサに行わせるための命令と、
パケットを生成するためにあらかじめ選択されたパターンで前記符号化オーディオ信号を再フォーマッティングすることを前記少なくとも１つのプロセッサに行わせるための命令、ここにおいて、前記パケットの容量は、前記ソースフォーマットに基づく、と
を備える、コンピュータ可読記憶媒体。
［Ｃ３０］
少なくとも１つプロセッサと、共有プロファイルを記憶するためのメモリと、前記メモリが前記少なくとも１つプロセッサに結合される、コンピュータ実行可能コードとを備えるデバイス上で動作可能な前記コンピュータ実行可能コードを記憶するコンピュータ可読記憶媒体であって、前記コンピュータ実行可能コードは、
パケットに関連するデータレートを取得することを前記少なくとも１つのプロセッサに行わせるための命令と、
前記データレートに基づいて符号化オーディオ信号を復元するために前記パケットから１つまたは複数のあらかじめ選択されたパターンを破棄することを前記少なくとも１つのプロセッサに行わせるための命令と、
復号オーディオ信号を生成するために前記符号化オーディオ信号を復号することを前記少なくとも１つのプロセッサに行わせるための命令と
を備える、コンピュータ可読記憶媒体。